(57)【要約】【課題】ミラーとしての表示と、ディスプレイ装置としての表示を、同時に表示するときに、両方の表示を見やすいように表示する。【解決手段】  ミラーディスプレイ装置（１０００）において、画像（Ｂ）を画面（２１ａ）に表示する表示部（２）と、画面（２１ａ）を覆う状態で設けられたハーフミラー（１）と、ハーフミラー（１）を反射面（１ａ）とし使用者（Ａ０）がハーフミラー（１）背後に投影されるところまでの間隔と、使用者（Ａ０）が画像（Ｂ）を視認するところまでの視認距離とを均等にする均等化手段（１０１）とを備えたことを特徴とする。【選択図】図１
2014052512.tif 000002
【特許請求の範囲】
【請求項１】
画像を画面に表示する表示部と、
前記画面を覆う状態で設けられたハーフミラーと、
前記ハーフミラーを反射面とし使用者が前記ハーフミラー背後に投影されるところまでの間隔と、前記使用者が前記画像を視認するところまでの視認距離とを均等にする均等化手段と、
を備えたミラーディスプレイ装置。
【請求項２】
前記均等化手段は、前記反射面から前記ハーフミラーを反射面とし前記使用者が前記ハーフミラー背後に投影されるところまでの間隔と、前記反射面から前記使用者が前記画像を視認するところまでの間隔とを均等にする請求項１記載のミラーディスプレイ装置。
【請求項３】
前記反射面から前記ハーフミラーを反射面とし前記使用者が前記ハーフミラー背後に投影されるところまでの間隔は、前記使用者と前記反射面との間隔と等しい請求項２記載のミラーディスプレイ装置。
【請求項４】
前記画像は視差画像であり、
前記均等化手段は、前記画像の焦点位置と前記反射面との間隔が、前記使用者と前記反射面との間隔と均等となるように前記視差画像を生成する制御部を含む請求項３記載のミラーディスプレイ装置。
【請求項５】
前記使用者と前記反射面との間隔を測定する距離測定部をさらに備え、前記制御部は前記距離測定部が測定した前記間隔に基づいて前記視差画像を生成する請求項４記載のミラーディスプレイ装置。
【請求項６】
前記画像が、目または眉の見本画像を含み、
前記制御部は、前記目または眉の見本画像の焦点位置と前記反射面との間隔が、前記使用者と前記反射面との間隔と均等となるよう前記視差画像を生成する請求項４記載のミラーディスプレイ装置。
【請求項７】
前記均等化手段は、前記反射面と前記画面との間隔が、前記使用者と前記反射面との間隔と均等になるように、前記反射面と前記画面との間隔を変動させる駆動部を含む請求項３記載のミラーディスプレイ装置。
【請求項８】
前記使用者と前記反射面との間隔を測定する距離測定部を更に備え、
前記駆動部は、前記距離測定部が測定した前記間隔に基づいて前記反射面と前記画面との間隔を変動させる請求項７記載のミラーディスプレイ装置。
【請求項９】
前記画像は視差画像であり、
前記使用者と前記反射面との間隔を測定する距離測定部を備え、
前記均等化手段は、前記距離測定部が測定した前記間隔に基づいて前記反射面と前記画面との間隔を変動させる駆動部と、
前記距離測定部が測定した間隔と、前記反射面と前記画面との間隔に基づいて前記視差画像を生成する制御部と、
を備えた請求項３記載のミラーディスプレイ装置。
【請求項１０】
前記距離測定部は、前記使用者の顔と背景を含む写真を撮影する撮像手段を有し、
前記距離測定部は、前記撮像手段が撮影した写真から前記使用者の顔位置を特定し、当該顔位置に基づき前記使用者と前記反射面との間隔を測定する請求項５、８又は９の何れかに記載のミラーディスプレイ装置。
【請求項１１】
前記距離測定部は前記使用者の目または眉の位置に依拠して前記使用者の顔位置を特定する請求項１０記載のミラーディスプレイ装置。
【請求項１２】
請求項１記載のミラーディスプレイ装置を用いた化粧支援装置であって、
前記制御部は、前記使用者の顔、目、眉及び唇の輪郭及び化粧ツールを塗布すべきエリアを示した第１部分と、前記第１部分とは異なる位置に選択可能な化粧ツール及び色を示した第２部分と、前記第１部分とは異なる位置に化粧を施した顔の見本画像を示した第３部分とを含む画像を生成する化粧支援装置。
【請求項１３】
前記制御部は、前記第１部分における前記エリアに、前記第２部分で選択された化粧ツール及び色を反映した画像を生成する請求項１２記載の化粧支援装置。
【請求項１４】
前記距離測定部は、前記使用者の顔と背景を含む写真画像を撮影する撮像手段を有し、
前記距離測定部は、前記撮像手段が撮影した写真画像から前記使用者の顔位置を特定し、
前記制御部は、前記画像の第１部分を前記距離測定部が特定した前記顔位置に合わせるよう補正する請求項１２記載の化粧支援装置。
【請求項１５】
前記距離測定部は前記使用者の目または眉の位置に依拠して前記使用者の顔位置を特定する請求項１４記載の化粧支援装置。
【請求項１６】
更に記憶部を有し、
前記制御部は、前記記憶部に記憶された化粧ツール情報に基づいて選択可能な化粧ツール及び色を第２部分に示す請求項１２記載の化粧支援装置。
【請求項１７】
更に入力部を有し、
前記制御部は、前記入力部から入力された条件情報に基づいて選択可能な化粧ツール及び色を前記第２部分に示す請求項１２記載の化粧支援装置。
【請求項１８】
更に入力部を有し、
前記制御部は、前記入力部から入力された条件情報に基づいて前記第１部分における前記エリアを異ならせる請求項１２記載の化粧支援装置。
【請求項１９】
前記反射面から前記使用者が前記画像を視認するところまでの間隔が、前記使用者と前記反射面との間隔に対し９３％以上１０７％以下の範囲内である請求項３記載のミラーディスプレイ装置。
【請求項２０】
前記反射面から前記使用者が前記画像を視認するところまでの間隔が、前記使用者と前記反射面との間隔に対し９５％以上１０５％以下の範囲内である請求項３記載のミラーディスプレイ装置。
【請求項２１】
前記反射面から前記使用者が前記画像を視認するところまでの間隔が、前記使用者と前記反射面との間隔と同一である請求項３記載のミラーディスプレイ装置。
【請求項２２】
前記ハーフミラーの反射率Ｒhは、０．６以上、０．８以下である請求項３記載のミラーディスプレイ装置。
【発明の詳細な説明】
【技術分野】
【０００１】
本発明は、ディスプレイ機能とミラー機能とを有するミラーディスプレイ装置に関する。
【背景技術】
【０００２】
近年、ディスプレイの新しい使い方として、ディスプレイ機能とミラーの機能を組合せ、ディスプレイとして画像を表示しミラーとしても使用できるミラーディスプレイ装置が提案されている。
例えば、特許文献１では、人感センサーによって人の存在を検知し、ミラー機能からディスプレイ装置の表示機能に切り替えるミラーディスプレイ装置が開示されている。
【０００３】
また、特許文献２では、使用者を映し出すミラーと、化粧をする際の見本となる見本画像を表示するディスプレイとを備えた化粧鏡装置が開示されている。
【先行技術文献】
【特許文献】
【０００４】
【特許文献１】特開２００６−５３２７７号公報
【特許文献２】特開２００３−１５３７３９号公報
【発明の概要】
【発明が解決しようとする課題】
【０００５】
ところで、これまでのミラーディスプレイ装置は、ミラーの機能とディスプレイ装置の機能を有しているが、両機能を同時に使うことについて十分に配慮がなされたものではなかった。両方の機能を同時に使用する場合、ミラーとしての表示とディスプレイ装置としての表示との両方を見やすいように表示することは実現されていない。これが可能となれば、例えば、ミラー機能を使って化粧をする際に化粧方法や見本画像をディスプレイに表示させて使用者に情報を提供したり化粧の支援を行う等して、化粧をする際の作業性を向上し、ミラーディスプレイ装置としての実用性が向上する。
【０００６】
本発明は、以上のような観点から、ミラーとしての表示と、ディスプレイ装置としての表示とを同時に行うときに、両方を見やすいように表示するミラーディスプレイ装置を提供することを目的とする。
【課題を解決するための手段】
【０００７】
本発明の一態様であるミラーディスプレイ装置は、画像を画面に表示する表示部と、前記画面を覆う状態で設けられたハーフミラーと、前記ハーフミラーを反射面とし使用者が前記ハーフミラー背後に投影されるところまでの間隔と、前記使用者が前記画像を視認するところまでの視認距離とを均等にする均等化手段とを備えたことを特徴とする。
【発明の効果】
【０００８】
本発明によれば、ミラーとしての表示とディスプレイ装置としての表示とを同時に行うときに、両方の画像を見やすいように表示することができる。
【図面の簡単な説明】
【０００９】
【図１】実施の形態１の一態様にかかるミラーディスプレイ装置１０００の構成図である。
【図２】実施の形態１の一態様に係るミラーディスプレイ装置１０００の表示部２の一部拡大平面図である。
【図３】実施の形態１の一態様に係るミラーディスプレイ装置１０００の電気的な構成を示すブロック図である。
【図４】実施の形態１の一態様に係るミラーディスプレイ装置１０００の表示部２の有する一サブ画素１００の回路構成及びその周辺回路との接続を示す図である。
【図５】実施の形態１の一態様に係るミラーディスプレイ装置１０００の使用状態を示す概要図である。
【図６】実施の形態１の一態様に係るミラーディスプレイ装置１０００の表示部２に表示される画像Ｂの構成を示した概要図である。
【図７】図６におけるＣ部を拡大した拡大図である。
【図８】実施の形態１の一態様に係るミラーディスプレイ装置１０００の距離測定部３の動作を示す説明図である。
【図９】実施の形態１の一態様に係るミラーディスプレイ装置１０００の表示パネル２１と画像分離層２２を用いて視差画像を表示する方法を示した説明図である。
【図１０】実施の形態１の一態様に係るミラーディスプレイ装置１０００において、左目用画像ＢLの位置を左方向へ距離Ｄずらし、右目用画像ＢRの位置を右方向に距離Ｄずらした場合に、画像Ｂが画面２１ａよりも距離Ｘ２だけ奥にあるように見える原理を説明するための図である。
【図１１】実施の形態１の一態様に係るミラーディスプレイ装置１０００を用いて視差画像を表示する方法の一例を示した説明図である。
【図１２】実施の形態１の変形例１に係るミラーディスプレイ装置１００１の距離測定部３の動作を示す説明図である。
【図１３】撮像手段１０６によって撮像した使用者Ａ０及び背景の画像を２値化した画像である。
【図１４】左右の黒目の位置を基準として、撮像手段１０６から取得した２値化画像の眉及び顔の外形線の位置と、指導画像Ｂ３の視差画像における眉及び顔の外形線の位置とが重なるように、画像全体を補正した指導画像Ｂ３を含む画像Ｂを示した概略図である。
【図１５】実施の形態２の一態様にかかるミラーディスプレイ装置２０００の構成図である。
【図１６】実施の形態２の一態様に係るミラーディスプレイ装置２０００の電気的な構成を示すブロック図である。
【図１７】実施の形態２の一態様に係るミラーディスプレイ装置２０００において、ハーフミラー１と使用者Ａ０の距離の許容値を示した実験結果である。
【図１８】実施の形態２の変形例の一態様にかかるミラーディスプレイ装置２００１の構成図である。
【図１９】実施の形態３の一態様にかかるミラーディスプレイ装置３０００の構成図である。
【図２０】実施の形態３の一態様に係るミラーディスプレイ装置３０００の電気的な構成を示すブロック図である。
【図２１】実施の形態４の一態様にかかるミラーディスプレイ装置４０００の構成図である。
【図２２】実施の形態４の一態様にかかるミラーディスプレイ装置４０００に用いるセンサー部６の構成を示した概要図である。
【発明を実施するための形態】
【００１０】
≪本発明を実施するための形態に至った経緯について≫
ミラーとディスプレイ装置の機能を同時に使うミラーディスプレイ装置のアプリケーションの一例として、例えば、化粧の支援が考えられる。例えば、平面ディスプレイ装置の前面に反射層を設けてハーフミラーの機能を持たせ、化粧を支援する装置を提供することができる。ミラーは化粧をする際に必ず使用し、その際、使用者の顔が見やすく映ることが前提となる。そのため、化粧のためにフラットな表面および反射層を備えたミラーが必要となる。
【００１１】
一方、化粧には化粧方法として各種の方法が確立されている。近年新たな化粧方法も、開発されている。しかしながら、新しい化粧方法や流行にあった化粧方法に関する情報を、使用者がタイムリーに教授を受け得る簡便で実用的な手段はない。使用者が実際に化粧をするときに、化粧品や化粧方法に関する情報を、ディスプレイ装置からハーフミラーを通してタイムリーに提供することにより、化粧を支援することができれば有効であると考えられる。例えば、化粧の指導画面をミラーの鏡像に重ねることで、より簡易にプロの化粧方法を真似ることができる。
【００１２】
さらに、ディスプレイ装置に、例えばＴＶニュース、天気予報、携帯電話のメール等に関する情報を表示させれば、これらの情報を確認しながら化粧を行うことが可能となる。
そこで、発明者はミラーに自分の顔を映し、その上にディスプレイ装置により例えば化粧の見本画像を表示させ、検討を行った。その結果、ミラーとして鏡像（例えば、使用者の顔）が映っているときに、ディスプレイ装置からの映像を重ねたり、鏡像の近傍にディスプレイ装置からの映像を表示した場合に、ハーフミラー上の鏡像に焦点を合わせると、ディスプレイ装置に表示される見本画像に焦点が合わないため、見本画像が鮮明に見えないという現象があることが判明した。特に、鏡像の目の部分に焦点を合わせた場合、見本画像の目に左右視差が生じて目が例えば４つに見えるように認識される場合等がある。そのため、化粧がしづらく、使用者は見本画像と鏡像にそれぞれに対する焦点調節のために疲れやすい。
【００１３】
そして、その要因について検討した。その結果、使用者は、ハーフミラーと使用者との距離をＸとしたとき、鏡像を同じ距離Ｘだけハーフミラーの反射面より奥に表示されているように認識する。他方、見本画像については、使用者はハーフミラー近傍にあるディスプレイ装置の画面に表示されていると認識する。そのため、使用者が、両方の画像が表示されていると認識する位置に距離Ｘだけ異なり、使用者は同時に両方の画像に焦点を合わせることができない。これが上記現象の要因であるという知見に至った。
【００１４】
そこで、発明者らは、ハーフミラーを反射面とし使用者の鏡像がハーフミラー背後に投影されるところまでの間隔と、使用者がディスプレイ装置に表示される画像を視認するところまでの視認距離とを合わせることにより、鏡像とディスプレイからの透過画像の両方を見やすく表示する技術について鋭意検討を行い、本発明の実施の形態の一態様に係るミラーディスプレイ装置に想到するに至った。
【００１５】
以下、本発明の実施の形態の一態様に係るミラーディスプレイ装置について、図面を参照しながら説明する。
≪本発明を実施するための形態の概要≫
本発明を実施するための形態の一態様であるミラーディスプレイ装置は、画像を画面に表示する表示部と、前記画面を覆う状態で設けられたハーフミラーと、前記ハーフミラーを反射面とし使用者が前記ハーフミラー背後に投影されるところまでの間隔と、前記使用者が前記画像を視認するところまでの視認距離とを均等にする均等化手段とを備えたことを特徴とする。
【００１６】
ここで、「均等にする」とは、ハーフミラーを反射面とし使用者がハーフミラー背後に投影されるところまでの間隔と、使用者が画像を視認するところまでの視認距離のズレが小さく使用者が違和感なく両画像を視認できる程度に間隔が近いことを指す。
また、別の態様では、前記均等化手段は、前記反射面から前記ハーフミラーを反射面とし前記使用者が前記ハーフミラー背後に投影されるところまでの間隔と、前記反射面から前記使用者が前記画像を視認するところまでの間隔とを均等にする構成であっても良い。
【００１７】
また、別の態様では、前記反射面から前記ハーフミラーを反射面とし前記使用者が前記ハーフミラー背後に投影されるところまでの間隔は、前記使用者と前記反射面との間隔と等しい構成であっても良い。
また、別の態様では、前記画像は視差画像であり、前記均等化手段は、前記画像の焦点位置と前記反射面との間隔が、前記使用者と前記反射面との間隔と均等となるように前記視差画像を生成する制御部を含む構成であっても良い。
【００１８】
ここで、「焦点位置」とは、映像を見た人が当該映像が表示されていると認識する映像の表示位置を指す
また、「均等となる」とは、鏡像と画像の焦点位置のズレが小さく使用者が違和感なく両画像を視認できる程度に間隔が近いことを指す。
また、別の態様では、前記使用者と前記反射面との間隔を測定する距離測定部をさらに備え、前記制御部は前記距離測定部が測定した前記間隔に基づいて前記視差画像を生成する構成であっても良い。
【００１９】
また、別の態様では、前記画像が、目または眉の見本画像を含み、
前記制御部は、前記目または眉の見本画像の焦点位置と前記反射面との間隔が、前記使用者と前記反射面との間隔と均等となるよう前記視差画像を生成する構成であっても良い。
また、別の態様では、前記均等化手段は、前記反射面と前記画面との間隔が、前記使用者と前記反射面との間隔と均等になるように前記反射面と前記画面との間隔を変動させる駆動部を含む構成であっても良い。
【００２０】
また、別の態様では、前記使用者と前記反射面との間隔を測定する距離測定部を更に備え、前記駆動部は、前記距離測定部が測定した前記間隔に基づいて前記反射面と前記画面との間隔を変動させる構成であっても良い。
また、別の態様では、前記画像は視差画像であり、前記使用者と前記反射面との間隔を測定する距離測定部を備え、前記均等化手段は、前記距離測定部が測定した前記間隔に基づいて前記反射面と前記画面との間隔を変動させる駆動部と、前記距離測定部が測定した間隔と、前記反射面と前記画面との間隔に基づいて前記視差画像を生成する制御部とを備えた構成であっても良い。
【００２１】
また、別の態様では、前記距離測定部は、前記使用者の顔と背景を含む写真を撮影する撮像手段を有し、前記距離測定部は、前記撮像手段が撮影した写真から前記使用者の顔位置を特定し、当該顔位置に基づき前記使用者と前記反射面との間隔を測定する構成であっても良い。
また、別の態様では、前記距離測定部は前記使用者の目または眉の位置に依拠して前記使用者の顔位置を特定する構成であっても良い。
【００２２】
また、別の態様では、前記反射面から前記使用者が前記画像を視認するところまでの間隔が、前記使用者と前記反射面との間隔に対し９３％以上１０７％以下の範囲内である構成であっても良い。
また、別の態様では、前記反射面から前記使用者が前記画像を視認するところまでの距離が、前記使用者と前記反射面との間隔に対し９５％以上１０５％以下の範囲内である構成であっても良い。
【００２３】
また、別の態様では、前記反射面から前記使用者が前記画像を視認するところまでの間隔が、前記使用者と前記反射面との間隔と同一である構成であっても良い。
また、別の態様では、前記ハーフミラーの反射率Ｒhは、０．６以上、０．８以下である構成であっても良い。
ここで、ミラーの反射率０．６は反射率６０％を表し、反射率０．８は反射率８０％を表す。また、その他の反射率を示す数値についても同様である。
【００２４】
また、別の態様では、ミラーディスプレイ装置を用いた化粧支援装置であって、前記制御部は、前記使用者の顔、目、眉及び唇の輪郭及び化粧ツールを塗布すべきエリアを示した第１部分と、前記第１部分とは異なる位置に選択可能な化粧ツール及び色を示した第２部分と、前記第１部分とは異なる位置に化粧を施した顔の見本画像を示した第３部分とを含む画像を生成する構成であっても良い。
【００２５】
また、別の態様では、化粧支援装置は、前記制御部は、前記第１部分における前記エリアに、前記第２部分で選択された化粧ツール及び色を反映した画像を生成する構成であっても良い。
また、別の態様では、化粧支援装置は、前記距離測定部は、前記使用者の顔と背景を含む写真画像を撮影する撮像手段を有し、前記距離測定部は、前記撮像手段が撮影した写真画像から前記使用者の顔位置を特定し、前記制御部は、前記画像の第１部分を前記距離測定部が特定した前記顔位置に合わせるよう構成であっても良い。
【００２６】
また、別の態様では、化粧支援装置は、前記距離測定部は前記使用者の目または眉の位置に依拠して前記使用者の顔位置を特定する構成であっても良い。
また、別の態様では、化粧支援装置は、前記制御部は、前記記憶部に記憶された化粧ツール情報に基づいて選択可能な化粧ツール及び色を第２部分に示す構成であっても良い。
また、別の態様では、化粧支援装置は、更に入力部を有し、前記制御部は、前記入力部から入力された条件情報に基づいて選択可能な化粧ツール及び色を前記第２部分に示す構成であっても良い。
【００２７】
また、別の態様では、化粧支援装置は、更に入力部を有し、前記制御部は、前記入力部から入力された条件情報に基づいて前記第１部分における前記エリアを異ならせる構成であっても良い。
≪実施の形態１≫
以下、実施の形態１の一態様に係るミラーディスプレイ装置１０００について、図面を参照しながら説明する。
＜ミラーディスプレイ装置１０００の構成＞
（全体構成）
図１は、実施の形態１の一態様にかかるミラーディスプレイ装置１０００の構成図である。ミラーディスプレイ装置１０００は、ハーフミラー１、表示部２、距離測定部３、回路部４、筐体５を有する。表示部２は有機ＥＬパネル等の表示パネル２１と、その画面２１ａの前方に配置された画像分離層２２を有する。ハーフミラー１が表示部２の画像分離層２２の少なくとも一部を覆うように、反射面１ａの裏側の面を表示部２の画像分離層２２の方向に向けてハーフミラー１は配置され、その状態でハーフミラー１と表示部２が筐体５の内部に収容されている。筐体５は開口５ａを有し、ハーフミラー１の反射面１ａは開口５ａを通して筐体５の外部に露出している。筐体５は黒色の樹脂材料からなる。撮像手段１０６は、図示しないＣＣＤ（電荷結合素子）を筐体５の開口５ａと同一面にある筐体５の上部中央に有し、筐体５の開口５ａ前方の所定範囲の写真を撮影する。回路部４は表示部２に表示する画像情報を生成し表示部２を駆動する。
【００２８】
以下、ミラーディスプレイ装置１０００を構成する各要素について説明する。
（ハーフミラー１）
ハーフミラー１は、例えば、ガラス、樹脂フィルムやシート等の透明な基材の一方の側の面に、クロムやアルミニウム等の金属を、真空蒸着やスパッタリング、メッキ等によって、３０μｍ以下の厚さで形成することにより、金属光沢と光透過性を有する。本実施の形態では、ハーフミラー１は、厚み０．５ｍｍのガラス板に、屈折率の異なる数種類の薄膜からなる多層干渉膜より構成される反射率７０％の反射面１ａ反射層を形成した。しかしながら、反射率はこれに限られず６０％から８０％の範囲であっても良い。仮に、反射率が５０％以下では、使用者の反射像が鏡を使用した場合より暗く、肌の色の再現性が低いため、化粧をする場合には適当ではない。一方、反射率が８０％より高くなると後の表示部２の画像が透過しづらくなり、表示部２の輝度を上げる必要がありエネルギー消費の面で欠点となるからである。
（表示部２）
実施の形態１の一態様に係るミラーディスプレイ装置１０００では、表示部２は、上記したように表示パネル２１と画像分離層２２から構成される。
【００２９】
［表示パネル２１］
表示パネル２１の構成について、図２および図３を用いて説明する。表示パネル２１は２０インチの画面２１ａを有する有機ＥＬ（エレクトロルミネッセンス）表示パネルである。図２は、実施の形態１の一態様に係るミラーディスプレイ装置１０００の表示パネル２１の一部拡大平面図である。図２に示すように、表示パネル２１は、赤（Ｒ）、緑（Ｇ）、青（Ｂ）の何れかの発光色に対応する有機機能層５０（Ｒ）、５０（Ｇ）、５０（Ｂ）を有する有機ＥＬ素子を、最少発光単位であるサブ画素１００（Ｒ）、１００（Ｂ）、１００（Ｇ）（以下、「Ｒ、Ｇ、Ｂ」を付して区別する説明する必要がない箇所では単に「サブ画素１００」と記載する。）とし、Ｒ、Ｇ、Ｂの色単位に列毎にマトリクス状に配列されており、同一列に属するサブ画素１００は同色に対応する。サブ画素１００（Ｒ）、１００（Ｂ）、１００（Ｇ）の３つのサブ画素の組み合わせにより１つの画素３００が構成される。サブ画素１００（Ｒ）、１００（Ｂ）、１００（Ｇ）には、それぞれ、赤（Ｒ）、緑（Ｇ）、青（Ｂ）の何れかの発光色に対応する有機機能層５０（Ｒ）、５０（Ｇ）、５０（Ｂ）を紙面に垂直な方向から挟むように、陽極と陰極が交差して配設されている。なお、図２においては、サブ画素１００をわかりやすく図示するために、陽極及び陰極を取り除いた状態で示している。この陰極と陽極の間に電圧が印加されると、その間に形成されるキャリア（電子、正孔）が有機機能層５０（Ｒ）、５０（Ｇ）、５０（Ｂ）の内部で再結合し電界発光現象に伴う発光が生じる。
【００３０】
［画像分離層２２］
画像分離層２２は表示パネル２１の画面２１ａの前方に配置されている。画像分離層２２は、例えば、ガラス、樹脂フィルムやシート等の透明な基材の一方の側の面に、クロム等の金属を、真空蒸着やスパッタリング、メッキ等によって、縦のスリット状にパターンニングし、開口部と遮光部が交互に形成されたパララックスバリア（視差バリア）から構成されている。本実施の形態では、厚み約０．５ｍｍのガラス板に、３０μｍ以下の厚さで、約１２０μｍピッチで縦のストライプ状の遮光膜を形成することにより、光透過性と遮光性を有するパララックスバリアからなる画像分離層２２を形成した。表示パネル２１と画像分離層２２を用いた視差画像の表示方法については、後述する。
（距離測定部３）
距離測定部３は、ＣＣＤ（電荷結合素子）を用いたデジタルカメラからなる撮像手段１０６と図示しない距離算出部１０７からなる。撮像手段１０６は、ハーフミラー１の反射面１ａと垂直な方向において、反射面１ａと同じ位置に配置されている。距離測定部３は使用者の顔と周囲環境を撮影し、得られた画像から使用者の顔の位置を認識する。詳細については、後述する。
＜ミラーディスプレイ装置１０００の電気的構成＞
図３は、実施の形態１の一態様に係るミラーディスプレイ装置１０００の電気的な構成を示すブロック図である。図３に示すとおり、ミラーディスプレイ装置１０００は、使用者との距離を測定する距離測定部３と、表示部２に表示する画像情報を生成し表示部２を駆動する回路部４から構成される。
【００３１】
距離測定部３は、使用者及び背景の画像を撮像する撮像手段１０６と、この使用者及び背景の画像を撮像に基づき、使用者と撮像手段１０６と同位置にあるハーフミラー１との距離を算出する距離算出部１０７を有する。そして、距離測定部３は使用者とハーフミラー１との距離を示す距離情報を制御部１０１に出力する。
次に回路部４について説明する。入力部１０８には、図示しないタブレット等のホインティングデバイスやキーボードに接続されていて使用者からの指示が入力される。記憶部１０２には、表示部２に表示する各種画像情報が記憶されている。制御部１０１は、入力部１０８からの指示、及び、距離測定部３から出力される距離情報に基づく、所定の条件に従って記憶部１０２から画像情報を読み出し、表示部２に表示する画像情報を生成したのち、フォーマット変換部１０５に出力する。フォーマット変換部１０５は、表示パネル２１を駆動するための条件に従って画像情報のフォーマットを変換し、走査線駆動回路１０３、及びデータ線駆動回路１０４に出力する。
【００３２】
図４は、実施の形態１の一態様に係るミラーディスプレイ装置１０００の表示部２の有する一サブ画素１００の回路構成及びその周辺回路との接続を示す図である。走査線駆動回路１０３は、多数のサブ画素１００が行列状に配列された表示パネル２１を１行ずつ列方向に所定の時間順序で選択するもので、各行ごとに設けられた走査線２００に接続されている。選択によって、サブ画素１００のスイッチングトランジスタ２０３の導通・非導通を制御する機能を有する。データ線駆動回路１０４は、表示パネル２１の各列のデータ線２０１に接続されており、信号電圧を出力して、駆動トランジスタ２０４に流れる信号電流を決定する機能を有する。スイッチングトランジスタ２０３は、ゲートが、走査線２００に接続されており、データ線２０１の信号電圧を駆動トランジスタ２０４のゲートに供給するタイミングを制御する機能を有する。駆動トランジスタ２０４は、駆動素子として機能し、駆動トランジスタ２０４のゲートは、スイッチングトランジスタ２０３を介してデータ線２０１に接続され、ソースが有機ＥＬ素子２０５のアノードに接続され、ドレインが、電源線２０２に接続されている。これにより、駆動トランジスタ２０４は、ゲートに供給された信号電圧を、その信号電圧に対応した信号電流に変換し、変換された信号電流を有機ＥＬ素子２０５に供給する。有機ＥＬ素子２０５は、発光素子の代表的な一例であり、有機ＥＬ素子２０５のカソードは、共通電極２０７に接続されている。保持容量２０６は、電源線２０２と駆動トランジスタ２０４のゲート端子との間に接続されている。保持容量２０６は、例えば、スイッチングトランジスタ２０３がオフ状態となった後も、直前のゲート電圧を維持し、継続して駆動トランジスタ２０４から有機ＥＬ素子２０５へ駆動電流を供給させる機能を有する。なお、図３、図４には記載されていないが、電源線２０２は電源に接続されている。また、共通電極２０７も別の電源に接続されている。
【００３３】
以上のとおり、データ線駆動回路１０４から供給された信号電圧は、スイッチングトランジスタ２０３を介して駆動トランジスタ２０４のゲート端子へと印加される。駆動トランジスタ２０４は、そのデータ電圧に応じた電流を、ソース−ドレイン端子間に流す。この電流が、有機ＥＬ素子２０５へと流れることにより、その電流に応じた発光輝度で、有機ＥＬ素子２０５が発光することとなる。
【００３４】
次に、表示パネル２１による、画像を表示するための動作について説明する。データ線駆動回路１０４が全てのデータ線に信号電圧を出力し、一定期間保持する。この保持期間中に、前記走査線駆動回路１０３が走査信号を１つの行に供給する。走査信号が供給されると、該当する行の画素部のスイッチングトランジスタ２０３が導通し、各データ線に供給されている信号電圧を該当する画素部の駆動トランジスタ２０４のゲートに印加する。信号電圧の大きさに応じて駆動トランジスタ２０４に流れる電流が制御されるので、その電流量に応じて有機ＥＬ素子２０５が発光する。発光は、次にその行が走査線駆動回路１０３によって指定されるまでの、１フレーム期間継続する。走査線駆動回路１０３が、１の行に走査信号を供給してから次の行に走査信号を供給するまでに、データ線駆動回路１０４が、新たな信号電圧を全てのデータ線上に供給する。すると、前の行の画素部と同様な動作を行って、走査信号が供給されたタイミングで、次の行の画素部の駆動トランジスタ２０４のゲートに新たな信号電圧が印加され、それに応じた信号電流を有機ＥＬに流し、１フレーム期間発光させる。データ線駆動回路１０４が新たな信号電圧をデータ線に供給し、走査線駆動回路１０３が新たな行に走査信号を供給する度に、上記と同様にして走査信号が供給された行の画素部の有機ＥＬが１フレーム期間発光する。
【００３５】
このようにして表示部全体の有機ＥＬ素子２０５がそれぞれ供給された信号電圧の大きさに応じた明るさで時間差を持ちながら発光し、表示部全体として画像表示を行う。
＜ミラーディスプレイ装置１０００の表示する画像の構成＞
（１．鏡像Ａ及び画像Ｂの概要）
図５は、実施の形態１の一態様に係るミラーディスプレイ装置１０００の使用状態を示す概要図である。ここでは、ミラーディスプレイ装置１０００を化粧支援装置として利用した場合の使用状態を示す。ミラーディスプレイ装置１０００に構成されるハーフミラー１に、使用者Ａ０の鏡像Ａが映し出されている。さらに、ハーフミラー１には、表示部２に表示された画像Ｂがハーフミラー１を透けて映し出される。画像Ｂは、ツール表示Ｂ１、見本画像Ｂ２、指導画像Ｂ３から構成される。使用者Ａ０はハーフミラー１に自分の顔を写しながら化粧を行う際に、ハーフミラー１は化粧のためにフラットな表面および人の顔を適切に表示できる反射率７０％の反射層を備えているため、使用者Ａ０の顔を見やすく映すことができる。併せて、使用者Ａ０が化粧をするときに、ツール表示Ｂ１、見本画像Ｂ２、指導画像Ｂ３から構成される画像Ｂが表示され、化粧品や化粧方法に関する情報や化粧方法の教授を受けけることができる。
（２．画像Ｂの構成）
画像Ｂの構成について、説明する。図６は、実施の形態１の一態様に係るミラーディスプレイ装置１０００の表示部２に表示される画像Ｂの構成を示した概要図である。図６の、中央には使用者Ａ０の鏡像Ａが映し出されている。画像Ｂは、ツール表示Ｂ１、見本画像Ｂ２、指導画像Ｂ３から構成される。
【００３６】
［ツール表示Ｂ１］
ツール表示Ｂ１は、表示パネル２１に表示される画像Ｂのうち、ハーフミラー１上において使用者Ａ０が自分の鏡像Ａを見る位置とは重ならない位置に、化粧のツールに関する情報が表示されている部分を指す。ツール表示Ｂ１は、化粧部位表示Ｂ１ａ、化粧条件表示Ｂ１ｂ、カラーパレット表示Ｂ１ｃから構成される。
【００３７】
化粧部位表示Ｂ１ａは、図６に示す通り、化粧を行うべき部位、例えば、眉、目、頬、唇、鼻、顔全体を表すアイコンからなる。化粧部位表示Ｂ１ａについて、使用者Ａ０は図示しないタブレット等のホインティングデバイスからなる図３の入力部１０８に入力された情報に基づいて、化粧部位表示Ｂ１ａに表示されたアイコンの中から、使用者Ａ０がこれから化粧を行うべき部位を選択することができる。
【００３８】
化粧条件表示Ｂ１ｂは、図６に示す通り、化粧に関する各種の条件を表示する。例えば、ビジネス、パーティー、旅行、スポーツ、休日等の化粧する日のシュチエーションや目的に関する条件情報。また、春、夏、秋、冬や、昼、夜等の季節等に関する条件情報。また、着用する洋服の色等に関する服装に関する条件情報。また、使用者Ａ０が所有する化粧品のメーカーや品種に関する化粧ツール情報。また、その他使用者Ａ０が設定した条件に関する条件情報等からなる。
【００３９】
化粧条件表示Ｂ１ｂについても、使用者Ａ０は、図示しないタブレット等のホインティングデバイスからなる入力部１０８に入力された情報に基づいて、化粧条件表示Ｂ１ｂに表示された選択肢の中から条件情報を選択することができる。使用者Ａ０が所有する化粧品のメーカーや品種に関する化粧ツール情報は、予め使用者Ａ０が所有している化粧品のメーカーと品種について登録を行うことにより記憶部１０２に記憶させておくことができる。
【００４０】
カラーパレット表示Ｂ１ｃは、図６に示す通り、指定した化粧品を用いた場合に選択可能なカラーパレットを表示する。予め使用者Ａ０が所有している化粧品のメーカーと品種について登録を行うことにより、使用者Ａ０が所有する化粧品を用いた場合に選択可能な色情報を記憶部１０２に記憶させておくことができる。
この際、カラーパレット表示Ｂ１ｃは、化粧部位表示Ｂ１ａにおいて選択された部位毎に、化粧条件表示Ｂ１ｂにおいて使用者Ａ０によって選択された化粧ツールをもちいた場合に、選択可能な色情報がカラーパレット表示Ｂ１ｃとして表示される。
【００４１】
また、化粧条件表示Ｂ１ｂによって選択された、目的、季節、服装等の各種条件情報を考慮して最適なカラーパレットが表示される。この最適なカラーパレットの選択は、使用者Ａ０によって入力部１０８から入力された情報に基づいて、制御部１０１によって行われる。
使用者Ａ０は、カラーパレット表示Ｂ１ｃに表示された選択可能な色の中から、図示しないタブレット等のホインティングデバイスを用いて好みの色を選択することができる。選択された色情報は入力部１０８から制御部１０１に送られる。
【００４２】
［見本画像Ｂ２］
見本画像Ｂ２は、表示パネル２１に表示される画像Ｂのうち、ハーフミラー１上において使用者ＡＯが自分の鏡像Ａを見る位置とは重ならない位置に、化粧の目標となる顔の見本としての画像が表示されている部分を指す。見本画像Ｂ２は、あらかじめ記憶部１０２に保存されている複数の見本画像の中から、所定の条件や使用者Ａ０によって選択されたものが表示される。このうち、所定の条件によって選択される場合は、ツール表示Ｂ１に表示された、化粧部位表示Ｂ１ａ、化粧条件表示Ｂ１ｂ、カラーパレット表示Ｂ１ｃの中から、使用者Ａ０によって選択された条件情報や化粧ツール情報に基づき選択された見本画像が表示される。この際、最適な見本画像の選択は、使用者Ａ０によって入力部１０８から入力された条件情報に基づいて、制御部１０１によって行われる。
【００４３】
使用者Ａ０は、見本画像Ｂ２を参照しながら自分の顔に化粧を行うことができる。ここで、見本画像Ｂ２は、顔の外形ライン、目の外形ライン、眉や唇の外形ラインを暗色で表示し、その他の部分は実際の化粧品を付けた顔のイメージを再現するような色で表示される。鏡像Ａと比較し易いよう表示するためである。
［指導画像Ｂ３］
指導画像Ｂ３は、表示パネル２１に表示される画像Ｂのうち、ハーフミラー１上において使用者ＡＯが自分の鏡像Ａを見る位置に、顔、目、眉及び唇等の輪郭及び化粧ツールを塗布すべきエリアを示したテンプレートからなる指導画像Ｂ３ａ及びＢ３ｂが表示されている部分を指す。あらかじめ作成され記憶部１０２に保存されている複数のテンプレート画像の中から、所定の条件や使用者Ａ０によって選択されたものが表示される。使用者Ａ０は、テンプレートからなる指導画像Ｂ３ａ及びＢ３ｂに従って自分の顔に化粧を行うことができる。
【００４４】
使用者Ａ０は、例えば、顔のベースメイクであれば、テンプレートからなる指導画像Ｂ３ａの画像の位置に従って、自分の顔にファンデーションを付けることができる。また、アイメイクであれば図６に示すテンプレートからなる指導画像Ｂ３ｂの画像を、自分の鏡像Ａの目の部分に重ねて表示することで、目の付近のどの部位にどのような色のアイシャドウを付けるかについて情報の提供を受け、化粧の指導を受けることができる。その際、指導画像Ｂ３を使用者Ａ０の鏡像Ａに合わせて表示することにより、使用者Ａ０は、細部の塗り方について、あたかも塗り絵をするように化粧を行うことが可能となる。指導画像Ｂ３を使用者Ａ０の鏡像Ａに合わせる方法の詳細については、後述する。
【００４５】
指導画像Ｂ３では、指導画像Ｂ３は顔の外形ライン、目の外形ライン、眉や唇の外形ラインを明色で表示し、その他の部分は黒表示される。周りの映り込みが少なく、鏡像Ａと重ねる場合に非常に見やすいためである。
また、指導画像Ｂ３は主に目や眉、唇等の細部の化粧を行うポイントメイクの際に有効である。図７は、図６におけるＣ部を拡大した拡大図である。たとえば、アイシャドウを目の周辺に付ける場合、目の周辺を複数の領域に分けて異なる色のアイシャドウのカラーを塗布するよう指導する。その場合、図７に示すとように、目の周辺の領域を複数の領域に分割し、例えば破線のラインで領域ｂ１、ｂ２、ｂ３、ｂ４、ｂ５、及びｂ６として表示する。これを、鏡像Ａと重ね合わせると、そのままの塗布する領域の大きさと位置について迷うことはない。領域ごとに示された記号ｂ１、ｂ２、ｂ３、ｂ４、ｂ５、及びｂ６に準じた色を選択し、対応する領域にその色のアイシャドウのカラーを塗ることが可能となる。はけを動かす位置と方向を、上記領域の中に矢印を表示して示しても良い。
【００４６】
上記したように、指導画像Ｂ３は、あらかじめ作成され記憶部１０２に保存されている複数の指導画像Ｂ３の中から、所定の条件や使用者Ａ０によって選択されたものが表示される。このうち、所定の条件によって選択される場合は、ツール表示Ｂ１に表示された、化粧部位表示Ｂ１ａ、化粧条件表示Ｂ１ｂ、カラーパレット表示Ｂ１ｃの中から、使用者Ａ０によって選択された条件情報に基づき、選択された指導画像Ｂ３が表示される。この際、最適な指導画像Ｂ３の選択は、使用者Ａ０によって入力部１０８から入力された情報に基づいて、制御部１０１によって行われる。
【００４７】
ツール表示Ｂ１に表示された、化粧部位表示Ｂ１ａ、化粧条件表示Ｂ１ｂ、カラーパレット表示Ｂ１ｃの中から、使用者Ａ０によって選択された条件情報に基づき、選択された見本画像Ｂ２と指導画像Ｂ３は対応した化粧内容を示す。すなわち、指導画像Ｂ３は、見本画像Ｂ２となるように化粧方法を指導するものである。
＜ミラーディスプレイ装置１０００の動作について＞
（１．距離測定部３の動作）
図８は、実施の形態１の一態様に係るミラーディスプレイ装置１０００の距離測定部３の動作を示す説明図である。上記したように、距離測定部３は、ＣＣＤ（電荷結合素子）を用いたデジタルカメラからなる撮像手段１０６と図示しない距離算出部１０７からなる。
【００４８】
先ず、撮像手段１０６は、使用者Ａ０及び背景の画像を撮像する。距離算出部１０７は、この使用者Ａ０及び背景の画像を撮像に基づき、公知の顔認識アルゴリズムを用いて、使用者Ａ０の顔の位置を認識する。顔認識アルゴリズムは、顔の標準化データを用いる公知のテンプレートマッチング技術を用いた。この方法では、使用者Ａ０及び背景の画像に対して画像全体に顔の大きさの探索窓（顔検出処理を行う判定領域）を動かし、探索窓が通過する座標ごとに探索窓内の画像が顔画像であるどうかの判定を行なうことにより顔のある位置を認識する。
【００４９】
次に、距離算出部１０７は、画像における顔の相対的な大きさを基準に撮像手段１０６と使用者Ａ０の距離を算出する。顔と撮像手段１０６との距離が遠くなるに従って、撮像手段１０６で撮像した画像内での顔の幅は小さくなる。そのため、予め、既定の距離で撮影した画像において顔が何ピクセルを占めるかを定数として把握しておくことによって、任意の居地で撮影した画像から、使用者Ａ０と撮像手段１０６との距離を算出することができる。例えば、図８に示すように、撮像手段１０６と使用者Ａ０の間隔が所定の距離をＸref、画像内での顔の幅をＷrefとするとき、任意の使用者Ａ０位置における画像内での顔の幅をＷを測定することで、撮像手段１０６と使用者Ａ０の距離Ｘを、Ｘ＝Ｘref×Ｗref／Ｗとして算出することができる。顔の幅は身長に関わらず１５．５ｃｍから１６．５ｃｍにほとんど分布している。そのため、異なる使用者に対しても、同じ定数を用いることができる。
（２．視差画像を表示する方法）
視差画像を表示する方法について説明する。図９は、表示パネル２１と画像分離層２２を用いて視差画像を表示する方法を示した説明図である。
【００５０】
制御部１０１は、左目用画像ＢLと右目用画像ＢRを生成し、フォーマット変換部１０５が、表示パネル２１上において、左目用画像ＢLと右目用画像ＢRが交互に配列されて表示されるようにフォーマット変換を行う。表示パネル２１の画面２１ａと画像分離層２２を距離Ｘだけ離間させて配置すると、距離Ｘだけ離れた使用者Ａ０にとって、右目に右目用画像ＢRだけを入射させ、左目に左目用画像ＢLだけを入射させることができる。これにより、使用者Ａ０には、左目に対し左目用画像ＢLが見える状態と、右目に対し右目用画像ＢRが見える状態とを形成することができる、
一方、使用者Ａ０とハーフミラー１の反射面１ａとの距離Ｘとすると、使用者Ａ０の鏡像Ａは使用者Ａ０から見て、ハーフミラー１から距離Ｘだけ奥にあるように認識される。ハーフミラー１の反射面１ａと表示パネル２１の画面２１ａの距離をＸ１とした場合、本実施の形態に係るミラーディスプレイ装置１０００では、使用者Ａ０が画面２１ａから距離Ｘ−Ｘ１（以後、Ｘ２と示す）だけ奥に表示されていると認識する画像Ｂを表示パネル２１に表示させる。
【００５１】
具体的には、先ず、距離測定部３は使用者ＡＯとハーフミラー１との距離Ｘを示す距離情報を制御部１０１に出力する。制御部１０１は、距離Ｘ２だけ焦点位置がハーフミラー１から見て奥にあるように視認されるだけの視差を有した視差画像を生成する。
図１０は、左目用画像ＢLの位置を左方向へ距離Ｄずらし、右目用画像ＢRの位置を右方向に距離Ｄずらした場合に、画像Ｂが画面２１ａよりも距離Ｘ２だけ奥にあるように見える原理を説明するための図である。本図において、丸で示したものは、画面２１ａ上に表示される画像Ｂである。まず、図１０（ａ）に示すように、画像Ｂにオフセットを設けない場合、右目に見える像と左目に見える画像Ｂは同じ位置にあるため、両目を用いて、画像Ｂを見たときの焦点位置は、画面２１ａ上に位置する。結果として表示される画像Ｂは画面２１ａ上に位置する。このような場合には、画像Ｂの焦点位置は画面２１ａ上となる。次に、図１０（ｂ）に示すように、左目用画像ＢLの位置をオフセットが０の場合に比べて左方向へ距離Ｄだけ左側の位置に見えるようシフトして表示する。一方、右目用画像ＢRの位置をオフセットが０の場合に比べて右方向へ距離Ｄだけ右側の位置に見えるようシフトして表示する。このとき、図１０（ｃ）に示すように、使用者Ａ０は、両目を用いて焦点をあわせてその焦点位置に像があるように認識する。すなわち、上記したように表示パネル２１と画像分離層２２を用い左目に左目用画像ＢLが見える状態と、右目に右目用画像ＢRが見える状態を形成すると、使用者Ａ０の両目は画面２１ａよりも距離Ｘ２だけ奥の位置に焦点位置を合わせようとし、結果として画面２１ａよりも距離Ｘ２だけ奥にあるように位置する焦点位置に像があるように錯覚を起こす。結果として表示される画像Ｂは画面２１ａよりも距離Ｘ２だけ奥に位置するように認識される。
【００５２】
以上、説明したとおり、制御部１０１は、距離Ｘ２だけ焦点位置がハーフミラー１から見て奥にあるように視認されるように、距離２Ｄだけの視差を有した視差画像を生成する。具体的には、左目用画像ＢLの位置を左方向へ距離Ｄだけ左側の位置に見えるようシフトし、右目用画像ＢRの位置を右方向へ距離Ｄだけ右側の位置に見えるようシフトした左目用画像ＢLと右目用画像ＢRからなる画像Ｂを生成する。そして、フォーマット変換部１０５が、表示パネル２１上において、左目用画像ＢLと右目用画像ＢRが交互に配列されて表示されるようにフォーマット変換し、表示パネル２１はこれを表示する。この構成によって、使用者Ａ０は画像Ｂがハーフミラー１から距離Ｘ２だけ奥に表示されていると認識し、反射画像Ｂと鏡像Ａが同じ位置に表示されているように認識する。以上、説明したように、実施の形態１の一態様に係るミラーディスプレイ装置１０００では、制御部１０１が、表示パネル２１に表示される画像Ｂの焦点位置とハーフミラー１の反射面１ａとの間隔を、使用者Ａ０とハーフミラー１の反射面１ａとの間隔とを、均等にするための均等化手段として機能する。
【００５３】
例えば、一例を示す。図１１は、実施の形態１の一態様に係るミラーディスプレイ装置１０００を用いて視差画像を表示する方法の一例を示した説明図である。図１１に示すように、ハーフミラー１の反射面１ａから使用者Ａ０の距離Ｘとし、使用者Ａ０の顔面における黒目の間隔が６５ｍｍの場合に、鏡像Ａでは黒目の間隔は３２．５ｍｍとなる。そこで、視差を１６．７５ｍｍとした右目用画像と左目用画像を制御部１０１で生成し、フォーマット変換部１０５で変換後に表示パネル２１に表示させることにより、画像分離層２２を通して見ると、画像Ｂが画面２１ａから距離Ｘだけ奥に表示されているように認識することができる。
（３．画像Ｂを視差画像として表示する方法）
上記したように、画像Ｂは、ツール表示Ｂ１、見本画像Ｂ２、指導画像Ｂ３から構成される。ツール表示Ｂ１、見本画像Ｂ２、指導画像Ｂ３の画像情報は、記憶部１０２に保存されている。制御部１０１は、距離測定部３から使用者ＡＯとハーフミラー１との距離Ｘを示す距離情報の出力を受けると、上記したように距離Ｘから距離Ｘ１を減じた距離Ｘ２だけ焦点位置がハーフミラー１から見て奥にあるように視認されるよう、右目用画像ＢRの位置を右方向へ距離Ｄだけ右側の位置に見えるようシフトした左目用画像ＢLと右目用画像ＢRからなる画像Ｂを生成する。このように、距離Ｄだけの視差を有した左目用画像ＢLと右目用画像ＢRからなる視差画像を生成する。そして、フォーマット変換部１０５で変換後に表示パネル２１に表示させる。これを、画像分離層２２を通して見ると、画像Ｂを構成するツール表示Ｂ１、見本画像Ｂ２、指導画像Ｂ３の各々が画面２１ａから距離Ｘ２だけ奥に表示されているように認識する。
＜化粧支援装置としてのメリット＞
以上、説明したとおり、実施の形態１の一態様に係るミラーディスプレイ装置１０００では、使用者Ａ０は画像分離層２２を通して表示パネル２１に表示された画像Ｂを見ることにより、画像Ｂを構成するツール表示Ｂ１、見本画像Ｂ２、指導画像Ｂ３の各々が画面２１ａから距離Ｘだけ奥に表示されているように認識することができる。
【００５４】
これにより、ハーフミラー１に鏡像Ａが映っているときに、ディスプレイ装置からの画像Ｂを重ねたり、鏡像Ａの近傍にディスプレイ装置からの画像Ｂを表示した場合に、ハーフミラー１上の鏡像に焦点を合わせると、ディスプレイ装置に表示される画像Ｂに焦点が合わないため、画像Ｂが鮮明に見えないということを防止できる。特に、鏡像Ａの目の部分に焦点を合わせた場合、指導画像Ｂ３の目に左右視差が生じて目が４つに見えるように認識される場合がなく、そのため、化粧がしやすく、使用者Ａ０は指導画像Ｂ３、見本画像Ｂ２、ツール表示Ｂ１と鏡像Ａのそれぞれに対する焦点調節が不要となり、疲労をすることなく化粧をすることができる。
＜変形例１＞
以上、本発明に係るミラーディスプレイ装置の実施の形態１を説明したが、例示したミラーディスプレイ装置１０００を以下のように変形することも可能であり、本発明が上述の実施形態で示した通りのミラーディスプレイ装置１０００に限られない。
（１．距離測定部３における使用者Ａ０との距離Ｘを算出する方法）
実施の形態１に係るミラーディスプレイ装置１０００では、距離測定部３は、撮像手段１０６が撮像した、使用者Ａ０及び背景の画像の中から、使用者Ａ０の顔の幅をＷを測定することで、撮像手段１０６と使用者Ａ０の距離Ｘを算出する構成とした。変形例に係るミラーディスプレイ装置１００１では、使用者Ａ０の顔の幅をＷに替えて、使用者Ａ０の黒目の間隔Ｘ３を基準に用いて、実施の形態１と同様の方法で、撮像手段１０６と使用者Ａ０の距離Ｘを算出する。図１２は、実施の形態１の変形例１に係るミラーディスプレイ装置１００１の距離測定部３の動作を示す説明図である。変形例１に係るミラーディスプレイ装置１００１では、先ず、撮像手段１０６は、使用者Ａ０及び背景の画像を撮像する。距離算出部１０７は、この使用者Ａ０及び背景の画像を撮像に基づき、公知の顔認識アルゴリズムを用いて、使用者Ａ０の顔の位置を認識する。次に、距離算出部１０７は、顔画像の認識した後、画像を２値化すると、両目の黒い部分をその他の部位から分離することができる。画像における黒目の間隔Ｘ３を基準に撮像手段１０６と使用者Ａ０の距離を算出する。そのため、予め、既定の距離で撮影した画像において黒目の間隔Ｘ３が何ピクセルを占めるかを定数として把握しておくことによって、任意の距離で撮影した画像から、使用者Ａ０と撮像手段１０６との距離を算出することができる。例えば、撮像手段１０６と使用者Ａ０の間の所定の距離をＸ３ref、画像内での黒目の距離Ｘ３をＷrefとするとき、任意の使用者Ａ０位置における画像内での黒目の距離Ｘ３を測定することで、撮像手段１０６と使用者Ａ０の距離Ｘを、Ｘ＝Ｘref  ×  Ｘ３ref／Ｘ３として算出することができる。黒目の距離Ｘ３は６ｃｍ〜８ｃｍに分布しているため。そのため、異なる使用者に対しても、同じ定数を用いることができる。
【００５５】
以上、説明したように、使用者Ａ０の黒目の間隔Ｘ３を基準に用いて、撮像手段１０６と使用者Ａ０の距離Ｘを算出することで、次の利点がある。
まず、黒目は、画像の２値化した場合にも画像が明確である。黒目の大きさは個人差が少なく、形状はほぼ球体であるので、人によるバラツキは小さいために、距離Ｘを算出する際の基準としてバラツキを小さくできる。
【００５６】
また、鏡像Ａと同じ奥行きに画像Ｂの焦点を合わせるに際し、奥行き合わせがしやすく、そのばらつきも小さいというメリットもある。これに対し、鼻は、観察者の顔の角度で変化しやすいため合わせにくく、顔の形状では最も出っ張っているため、他の部位（例えば、頬や眉）の奥行きあわせもむずかしい。眉は、人によって太さや眉毛の生え方が多様であり、表面の凹凸も複雑で形状の影響を受けやすい。また、眉の端と中央で奥行きが異なるために、どちらで焦点を合わせるかによって、バラツキが大きくなるという結果となった。
【００５７】
更に、黒目は、化粧をする際に、顔のなかでも目に注目し目を注視しやすいため、目の部位の焦点を合わせると、顔全体について鏡像Ａと画像Ｂの焦点が合っているという印象が得られる。また、化粧をする際にも、アイメイク、眉描きなど、目を中心としたケースが多いので、目の焦点を合わせることが化粧支援を行う上でも有効となる。このため、使用者Ａ０の黒目の間隔Ｘ３を基準に用いて、撮像手段１０６と使用者Ａ０の距離Ｘを算出し、その距離Ｘを用いて、焦点位置がハーフミラー１から見て奥にあるように視認されるような視差画像を生成し表示パネル２１に表示させることで、鏡像Ａに対しより焦点のあった画像Ｂを表示することができ、化粧をする際の作業性を向上する。
（２．指導画像Ｂ３を鏡像Ａにフィッティングさせて表示する方法）
変形例に係るミラーディスプレイ装置１００１では、撮像手段１０６によって撮像した使用者Ａ０及び背景の画像に基づいて、指導画像Ｂ３を表示する位置や、指導画像Ｂ３の形状を、使用者Ａ０に合わせるようにフィッティングすることを特徴とする。図１３は、撮像手段１０６によって撮像した使用者Ａ０及び背景の画像を２値化した画像である。図１２に示すように、使用者Ａ０の眉、黒目、顔の外形線の位置が明確となる。変形例１に係るミラーディスプレイ装置１００１では、先ず、撮像手段１０６は、使用者Ａ０及び背景の画像を撮像する。距離算出部１０７は、この使用者Ａ０及び背景の画像を撮像に基づき、公知の顔認識アルゴリズムを用いて、使用者Ａ０の顔の位置を認識する。次に、距離算出部１０７は、顔画像の認識した後、画像を２値化し、使用者Ａ０の眉、黒目、顔の外形線の位置が明確化する。両目の黒い部分、使用者Ａ０の眉、黒目、顔の外形線をその他の部位から分離することができる。上記したように、画像における黒目の間隔Ｘ３を基準に撮像手段１０６と使用者Ａ０の距離を算出し、記憶部１０２に保存された複数の画像から選択された指導画像Ｂ３に視差を持たせ指導画像Ｂ３の視差画像を生成する。この指導画像Ｂ３の視差画像における左右の黒目の位置を基準として、撮像手段１０６から取得した２値化画像の眉及び顔の外形線の位置と、指導画像Ｂ３の視差画像における眉及び顔の外形線の位置とが重なるように、指導画像Ｂ３の画像全体を補正する。図１４は、左右の黒目の位置を基準として、撮像手段１０６から取得した２値化画像の眉及び顔の外形線の位置と、指導画像Ｂ３の視差画像における眉及び顔の外形線の位置とが重なるように、画像全体を補正した指導画像Ｂ３を含む画像Ｂを示した概略図である。黒目の位置を基準として、眉の線、顔の外形線、及びテンプレートからなる指導画像Ｂ３ａ及びＢ３ｂの位置が補正されている。図１４において、破線は補正前、実線は補正後の、表示位置を示す。このように、化粧ツールを塗布すべきエリアを示した頬を表すテンプレートからなる指導画像Ｂ３ａ及び目と眉の周辺を表すテンプレートからなる指導画像Ｂ３ｂは、使用者Ａ０の顔の外形線や眉の位置に合わせて、フィッティングさせて表示される。
【００５８】
これにより、使用者Ａ０と撮像手段１０６の距離Ｘが変わった場合にも、撮像手段１０６から取得した２値化画像の眉及び顔の外形線の位置の変化を読み取ることによって、指導画像Ｂ３は使用者Ａ０の鏡像Ａの大きさに合わせて補正された指導画像Ｂ３が表示される。また、使用者Ａ０が下を向いた場合など、顔の角度が変わった場合にも、撮像手段１０６から取得した２値化画像の眉及び顔の外形線の位置の変化を読み取ることによって、下を向いた鏡像Ａに合わせて補正された指導画像Ｂ３が表示される。
【００５９】
以上、説明したとおり、指導画像Ｂ３の眉、目の外形、顔の外形のラインを撮像手段１０６から取得した画像から補正して使用者Ａ０に合わせて変形させると、指導画像Ｂ３と使用者Ａ０の鏡像Ａの重ねあわせがより簡易になり、あたかも自分の顔に化粧指導されている感覚が得られる。特に、黒目が合うと非常にリアルに表示することができる。
＜その他の変形例＞
以上、本発明に係るミラーディスプレイ装置の実施の形態１を説明したが、例示したミラーディスプレイ装置１０００を以下のように変形することも可能であり、本発明が上述の実施形態で示した通りのミラーディスプレイ装置１０００に限られない。
（１）実施の形態１に係るミラーディスプレイ装置１０００では、指導画像Ｂ３として、表示パネル２１に表示される画像Ｂのうち、ハーフミラー１上において使用者ＡＯが自分の鏡像Ａを見る位置に、顔、目、眉及び唇等の輪郭及び化粧ツールを塗布すべきエリアを示したテンプレートからなる指導画像Ｂ３ａ及びＢ３ｂが表示する構成とした。そして、そのテンプレートは、ツール表示Ｂ１に表示された、化粧部位表示Ｂ１ａ、化粧条件表示Ｂ１ｂ、カラーパレット表示Ｂ１ｃの中から、使用者Ａ０によって選択された条件情報に基づき、選択された指導画像Ｂ３が表示される構成としている。しかしながら、化粧ツールを塗布すべきエリアに加えて、ツール表示Ｂ１に表示された、化粧部位表示Ｂ１ａ、化粧条件表示Ｂ１ｂ、カラーパレット表示Ｂ１ｃの中から、使用者Ａ０によって選択された条件情報を、化粧ツールを塗布すべきエリアに反映したサンプル画像を、使用者ＡＯが自分の鏡像Ａを見る位置に、鏡像Ａと重ねて表示する構成としても良い。このサンプル画像を鏡像Ａと重ねて表示し確認したあり、一旦サンプル画像を消去し、その後、再度、化粧ツールを塗布すべきエリアを示した指導画像Ｂ３を表示させて、化粧を行うことができる。
（２）実施の形態１に係るミラーディスプレイ装置１０００では、使用者Ａ０が所有する化粧品のメーカーや品種に関する化粧ツール情報は、予め使用者Ａ０が所有している化粧品のメーカーと品種について登録を行うことにより記憶部１０２に記憶させておくことができる構成とした。しかしながら、使用者Ａ０は、使用者Ａ０が所有する化粧品やメーカーが推薦する化粧品についての品種やメーカーに関する情報を、インターネット等のネットワークを介してダウンロードし、記憶部１０２に記憶させておくことができる構成としても良い。登録を行う手間を簡略化することができる。
（３）指導画像は、静止画に加え、描画部分の塗り方、線の引き方などを動画表示する構成としても良い。例えば、眉のラインの描き方に関して、始点、太さ、角度、終点位置を動画で表示しても良い。リアルに自分の顔の上で指導員に化粧指導を受けている印象が得られ、実際にはけ等化粧道具の動かし方を理解しやすい。
（４）表示部２の表示面上にハーフミラー層としてＡｌの蒸着層を形成する構成としても良い。薄型で軽量となり可搬性を増すことができる。
（５）実施の形態１に係るミラーディスプレイ装置１０００では、画像分離層２２にパララックスバリアを用いる構成とした。これに替えて、レンチキュラレンズを用いつ構成としても良い。
≪実施の形態２≫
以下、本発明の実施の形態２の一態様に係るミラーディスプレイ装置２０００について、図面を参照しながら説明する。図１５は、実施の形態２の一態様にかかるミラーディスプレイ装置２０００の構成図である。図１６は、実施の形態２の一態様に係るミラーディスプレイ装置２０００の電気的な構成を示すブロック図である。
【００６０】
ミラーディスプレイ装置２０００は、実施の形態１の一態様にかかるミラーディスプレイ装置１０００において、ハーフミラー１を使用者Ａ０と表示パネル２１の間を移動させる駆動部１０９を有し、ハーフミラー１の反射面１ａが使用者Ａ０と表示部２との中央に位置するようにハーフミラー１を可動できる構成とした。図１５及び図１６に示すように、ミラーディスプレイ装置２０００は、ハーフミラー１、表示部２、距離測定部３、回路部４、図示しない筐体５、駆動部１０９を有する。このうち、ハーフミラー１、距離測定部３、筐体５、については、実施の形態１の一態様にかかるミラーディスプレイ装置１０００と同じであり、説明を省略する。ミラーディスプレイ装置２０００では、画像分離層２２を有さず、表示部２は表示パネル２１のみから構成される。回路部４には、フォーマット変換部１０５を有さず、表示パネル２１には２次元の画像Ｂが表示される。
【００６１】
次に、駆動部１０９について説明する。図１５に示すように、ハーフミラー１は表示パネル２１と平行に配置されており、垂直方向にハーフミラー１を移動させる駆動部１０９を備える。ハーフミラー１を表示パネル２１に対してを移動させる方法は、手動でもよく、モータ等を用いて移動させる構成でも良い。例えば、ハーフミラー１および表示パネル２１の画面２１ａに垂直な方向にレール等を配しハーフミラー１を移動させる構成としても良い。本実施の形態では、撮像手段１０６を備え、ハーフミラー１と使用者Ａ０の水泳方向の距離Ｘ４測定し、距離Ｘ４だけ駆動部１０９を操作してハーフミラー１を移動させる構成とした。これにより、ハーフミラー１の反射面１ａが使用者Ａ０と表示部２との中央に位置するようになる。
【００６２】
図１７は、実施の形態２の一態様に係るミラーディスプレイ装置２０００において、ハーフミラー１の反射面１ａと使用者Ａ０の距離の許容値を示した実験結果である。表示パネル２１と使用者Ａ０の距離を１０ｃｍから８０ｃｍまで変化させて、表示パネル２１に表示した指導画像Ｂ３と使用者Ａ０の鏡像Ａの目の焦点位置が合うようにハーフミラー１の反射面１ａと使用者Ａ０の距離Ｘ４を調整し、眼の焦点位置が合った距離で前後にハーフミラー１を細かく移動させて使用者Ａ０が、指導画像Ｂ３と使用者Ａ０の鏡像Ａとの焦点位置のズレについて許容できる範囲を示した。１０名の使用者にて評価した結果を図１７に示す。
【００６３】
図１７に示すように観察距離が４０ｃｍまでは観察距離の５％以内であれば、指導画像Ｂ３と鏡像Ａとの焦点位置のズレを許容でき、８０ｃｍまでは７％以内となった。この範囲であれば、使用者Ａ０は、鏡像Ａと画像Ｂとの焦点位置のズレが小さく使用者Ａ０が違和感なく両画像を視認することできる。化粧では視距離３０ｃｍから５０ｃｍで使用するので、実使用上、最も高い精度が要求される視距離３０ｃｍにおいて、５％以内の精度を得るには、１．５ｃｍ以内の精度でハーフミラー１と表示パネル２１との間の距離を合わせることが好ましい。このように、実施の形態２の一態様に係るミラーディスプレイ装置２０００では、駆動部１０９が、表示パネル２１に表示される画像Ｂの焦点位置とハーフミラー１の反射面１ａとの間隔を、使用者Ａ０とハーフミラー１の反射面１ａとの間隔とを、均等にするための均等化手段として機能する。
【００６４】
また、目の奥行きをハーフミラー１で合わせ、指導画像Ｂ３を表示すると、目の付近の化粧は可能であった。これは、指導画像Ｂ３と使用者Ａ０の鏡像Ａの目の焦点位置が合うことによって、目の周りの凹凸にも追従しやすく、違和感なく指導画像Ｂ３を見ることができる。また、指導画像Ｂ３と鏡像Ａの焦点位置が合うように使用者Ａ０が無意識に観察距離を前後に微調節する傾向があり、焦点位置を合わせることが非常に簡易となり化粧指導の効果が得られた。
【００６５】
本実施例は表示パネル２１に２次元画像を表示する構成としたので、指導画像はくっきり表示できる利点がある。さらに、使用者Ａ０の顔画像を撮像しておけば、いろいろな指導画像Ｂ３の表示を使用者Ａ０の顔の外形、目の形、眉の形に補正することができる。これにより、指導画像Ｂ３を使用者Ａ０の顔と焦点位置を合わせ、さらに重ね合わせるのが非常に簡易となり、十分な化粧指導の効果を得ることができる。
＜変形例２＞
以上、本発明に係るミラーディスプレイ装置の実施の形態２を説明したが、例示したミラーディスプレイ装置２０００を以下のように変形することも可能であり、本発明が上述の実施形態で示した通りのミラーディスプレイ装置２０００に限られない。
【００６６】
以下、本発明の実施の形態２の変形例の一態様に係るミラーディスプレイ装置２００１について、図面を参照しながら説明する。図１８は、実施の形態２の変形例の一態様にかかるミラーディスプレイ装置２００１の構成図である。ミラーディスプレイ装置２００１では、ミラーディスプレイ装置２０００において、表示パネル２１の画面２１ａをハーフミラー１に対して９０度傾けて配置するとともに、表示パネル２１とハーフミラー１との間に４５度傾けたミラー７を有する構成とした。ミラー７は反射率は９０％とした。表示パネルさらに、表示パネル２１の間を上下に移動させる駆動部１０９を有し、ハーフミラー１の反射面１ａが使用者Ａ０と表示パネル２１との光路の中央に位置するように表示パネル２１を可動させる構成とした。使用者Ａ０とハーフミラー１の反射面１ａとの間隔をＸ４、表示パネル２１の画面２１ａとミラー７との光路上の間隔をＸ５、ハーフミラー１の反射面１ａとミラー７との光路上の間隔をＸ６としたとき、Ｘ４＝Ｘ５＋Ｘ６  と反射面１ａの前後において、間隔が均等となるように表示パネル２１を上下に移動させる。これにより、指導画像Ｂ３と鏡像Ａとの焦点位置を合わせることができる。尚、本変形例においては、間隔とは光路上における間隔を指す。
【００６７】
尚、本実施の形態ではハーフミラー１又は表示パネル２１を移動させる機構を備えている。しかしながら、化粧をする場合ほとんど視距離４０ｃｍあたりで使用する。そこで、ハーフミラー１と表示パネル２１の距離を２０ｃｍに固定すれ構成を採ることもできる。移動機構を必要としないため、装置を軽量化することができる。また、表示パネル２１とハーフミラー１を接触させておくと薄型の表示装置としても使うことができる。
≪実施の形態３≫
以下、本発明の実施の形態３の一態様に係るミラーディスプレイ装置３０００について、図面を参照しながら説明する。図１９は、実施の形態３の一態様にかかるミラーディスプレイ装置３０００の構成図である。図２０は、実施の形態３の一態様に係るミラーディスプレイ装置３０００の電気的な構成を示すブロック図である。
【００６８】
ミラーディスプレイ装置３０００は、実施の形態２の一態様にかかるミラーディスプレイ装置２０００と同様にハーフミラー１を移動させるとともに、実施の形態１同様、表示部２に画像分離層２２を、回路部４にフォーマット変換部１０５を有し、表示パネル２１には、実施の形態１と同様に視差画像が表示される構成とした。図１９及び図２０に示すように、ミラーディスプレイ装置３０００は、ハーフミラー１、表示部２、距離測定部３、回路部４、図示しない筐体５、駆動部１０９を有する。このうち、ハーフミラー１、距離測定部３、筐体５、については、実施の形態１の一態様にかかるミラーディスプレイ装置１０００と同じであり、説明を省略する。また、駆動部１０９については、実施の形態２の一態様にかかるミラーディスプレイ装置２０００と同じであり、説明を省略する。
【００６９】
ミラーディスプレイ装置３０００では、先ず、距離測定部３は使用者Ａ０である使用者Ａ０とハーフミラー１の反射面１ａとの間隔Ｘ７を測定する。駆動部１０９は、距離測定部３が測定した間隔Ｘ７に基づいて反射面１ａと画面２１ａとの間隔を間隔Ｘ７よりも小さい間隔Ｘ８になるよう、ハーフミラー１の位置を変動させる。制御部１０１は、距離測定部３が測定した間隔Ｘ７と、反射面１ａと画面２１ａとの間隔Ｘ８との差Ｘ７−Ｘ８に基づいて、画面２１ａからＸ７−Ｘ８だけ奥に焦点が合うような視差を持たせた視差画像を生成し、フォーマット変換部１０５がフォーマットを表示パネル２１に合わせて変換した後、この視差画像を表示パネル２１に表示する。
【００７０】
このように、ハーフミラー１を手前に移動させる構成を採ることにより表示パネル２１に表示する奥行きは短くなる。例えば、使用者Ａ０とハーフミラー１の反射面１ａとの距離を３０ｃｍとし、表示パネル２１からハーフミラー１の反射面１ａを１０ｃｍだけ離す方向に移動させると、表示パネル２１へは、画面２１ａから２０ｃｍだけ奥に焦点が合うような視差を持たせた視差画像を表示パネル２１に表示するようにすれば良い。また、使用者Ａ０とハーフミラー１の反射面１ａとの距離を２５ｃｍとし、表示パネル２１からハーフミラー１の反射面１ａを１５ｃｍだけ離す方向に移動させると、表示パネル２１へは、画面２１ａから１０ｃｍだけ奥に焦点が合うような視差を持たせた視差画像を表示パネル２１に表示するようにすれば良い。このように、視差画像表示で必要な焦点位置への奥行きが短くなり左目用と右目用の画像に必要な視差を小さくすることできる。そして、視差が小さくなるほど、指導画像Ｂ３は見やすくなる。このように、実施の形態３の一態様に係るミラーディスプレイ装置３０００では、駆動部１０９及び制御部１０１が、表示パネル２１に表示される画像Ｂの焦点位置とハーフミラー１の反射面１ａとの間隔を、使用者Ａ０とハーフミラー１の反射面１ａとの間隔とを、均等にするための均等化手段として機能する。
【００７１】
実施の形態２に比べて、ハーフミラー１の移動距離を短くでき、装置を小型化できる。また、指導画像Ｂ３を視差画像として表示することにより、より観察者の顔の凹凸に合わせやすくなり、鏡像Ａに対し焦点位置を合わせやすくなる。
≪実施の形態４≫
以下、本発明の実施の形態３の一態様に係るミラーディスプレイ装置４０００について、図面を参照しながら説明する。図２１は、実施の形態４の一態様にかかるミラーディスプレイ装置４０００の構成図である。図２２は、実施の形態４の一態様にかかるミラーディスプレイ装置４０００に用いるセンサー部６の構成を示した概要図である。
【００７２】
ミラーディスプレイ装置４０００は、実施の形態１の一態様にかかるミラーディスプレイ装置１０００と同様における、使用者Ａ０とハーフミラー１との距離を測定する距離測定部３に加えて、調査音波センサーからなるセンサー部６を備えた点で相違する。その他の構成要素については、実施の形態１の一態様にかかるミラーディスプレイ装置１０００と同じであり説明を省略する。
【００７３】
ミラーディスプレイ装置４０００では、センサー部６に超音波センサーを用いた。センサー部６は、図示しない超音波センサーを筐体５の開口５ａと同一面にある開口窓５ｂの内部に有し、開口窓５ｂの前方の所定範囲の対象物との距離を測定する。すなわち、超音波を発射してから物体に反射して戻ってくる迄の時間を測定することにより、超音波の送受波器から物体までの距離を測定する。超音波を発射してから、反射波が検出されるまでの時間をＴ  ［μｓｅｃ］とすると、物体までの距離はｄ＝０．５Ｔ×３４０×０．００１＝０．１７Ｔ［ｍｍ］で計算できる。図２２に示すように、超音波センサーは電気信号を超音波に変えて空気中に発射する超音波スピーカ（送波器）と空気中からの超音波の反射波を受けてそれを電気信号に変換する超音波マイクロホン（受波器）から構成される。これらの電気振動変換素子は原理的には一つの素子が送波器にも受波器にも働くが送波と受波では空気の振動振幅にも大幅に異なり、しかもインピーダンスを変えたほうが効率がよいので別個のトランジューサを使用する構成とした。
【００７４】
超音波を発生するための送波回路にはＣＭＯＳゲート回路による発振器やマイクロコンピュータのクロック信号を分周する回路によってトランジューサの共振周波数のパルス列をつくり、これにより超音波トランジューサを駆動させる方式をとる。
＜変形例＞
超音波センサーの代わりに赤外線センサーを使用することができる。赤外線センサーはＰＳＤ（ポジショニング・センシング・ディテクター）という赤外線検知アレイが内臓されており、測定対象物が近づくと赤外線の反射角度がかわり、ＰＳＤ内で検知される場所が変わることを利用し、それぞれ違う値の抵抗値のＰＳＤの出力から距離データを検知する。超音波センサーのように遠距離では使えないが、１ｍ以内での使用は可能であり、ノイズや干渉を受けないというメリットもある。赤外線センサーを用いることで、カメラの映像から距離を検出する必要がなくなり、さらに距離の精度が上げられ、指導画像の視差の計算や距離による顔の大きさの変形の精度が向上できる。
≪まとめ≫
以上、説明したとおり、本実施の形態の一態様におけるミラーディスプレイ装置では、ミラーに映る鏡像とディスプレイに表示される画像の焦点距離を合わせることにより、鏡像とディスプレイからの透過画像の両方を見やすく表示することがでる。これにより、化粧支援装置として用いた場合には、ミラーとして鏡像（例えば、使用者の顔）が映っているときに、ディスプレイ装置からの映像を重ねたり、鏡像の近傍にディスプレイ装置からの映像を表示した場合に、ハーフミラー上の鏡像に焦点を合わせると、ディスプレイ装置に表示される見本画像に焦点が合わないため、見本画像が鮮明に見えないということがなく、使用者Ａ０は見本画像と鏡像にそれぞれに対する焦点調節を行う必要がなく、化粧をする際の作業性を向上することができる。このように、ミラーとディスプレイ装置の機能を同時に使うアプリケーションが可能となり、使いやすく実用的なミラーディスプレイ装置を提供できる。
≪補足≫
以上で説明した実施の形態は、いずれも本発明の好ましい一具体例を示すものである。実施の形態で示される数値、形状、材料、構成要素、構成要素の配置位置及び接続形態、工程、工程の順序などは一例であり、本発明を限定する主旨ではない。また、実施の形態における構成要素のうち、本発明の最上位概念を示す独立請求項に記載されていない工程については、より好ましい形態を構成する任意の構成要素として説明される。
【００７５】
また、発明の理解の容易のため、上記各実施の形態で挙げた各図の構成要素の縮尺は実際のものと異なる場合がある。また本発明は上記各実施の形態の記載によって限定されるものではなく、本発明の要旨を逸脱しない範囲において適宜変更可能である。
さらに、ミラーディスプレイ装置においては基板上に回路部品、リード線等の部材も存在するが、電気的配線、電気回路について携帯無線端末等の技術分野における通常の知識に基づいて様々な態様を実施可能であり、本発明の説明として直接的には無関係のため、説明を省略している。尚、上記示した各図は模式図であり、必ずしも厳密に図示したものではない。
【産業上の利用可能性】
【００７６】
本発明のミラーディスプレイ装置は、例えば、個人用、家庭用、住宅用もしくは公共施設、あるいは業務用の各種表示装置、テレビジョン装置、携帯型電子機器、化粧台、窓、鏡用ディスプレイ等として用いられるミラーディスプレイ装置等に好適に利用可能である。
【符号の説明】
【００７７】
１  ハーフミラー
１ａ  反射面
２  表示部
３  距離測定部
４  回路部
５  筐体
６  センサー部
７  ミラー
２１  表示パネル
２１ａ  画面
２２  画像分離層
５０  有機機能層
１００  サブ画素
１０１  制御部
１０２  記憶部
１０３  走査線駆動回路
１０４  データ線駆動回路
１０５  フォーマット変換部
１０６  撮像手段
１０７  距離算出部
１０８  入力部
１０９  駆動部
３００  画素
１０００  実施の形態１に係るミラーディスプレイ装置
１００１  実施の形態２の変形例に係るミラーディスプレイ装置
２０００  実施の形態２に係るミラーディスプレイ装置
２００１  実施の形態２の変形例に係るミラーディスプレイ装置
３０００  実施の形態３に係るミラーディスプレイ装置
４０００  実施の形態４に係るミラーディスプレイ装置
Ａ  鏡像
Ａ０  使用者
Ｂ  画像
Ｂ１  ツール表示
Ｂ１ａ  化粧部位表示
Ｂ１ｂ  化粧条件表示
Ｂ１ｃ  カラーパレット表示
Ｂ２  見本画像
Ｂ３  指導画像
Ｂ３ａ  テンプレートからなる指導画像
Ｂ３ｂ  テンプレートからなる指導画像
【図３】
2014052512.tif 000003
【図４】
2014052512.tif 000004
【図５】
2014052512.tif 000005
【図７】
2014052512.tif 000006
【図８】
2014052512.tif 000007
【図９】
2014052512.tif 000008
【図１０】
2014052512.tif 000009
【図１１】
2014052512.tif 000010
【図１２】
2014052512.tif 000011
【図１３】
2014052512.tif 000012
【図１５】
2014052512.tif 000013
【図１６】
2014052512.tif 000014
【図１７】
2014052512.tif 000015
【図１８】
2014052512.tif 000016
【図１９】
2014052512.tif 000017
【図２０】
2014052512.tif 000018
【図２２】
2014052512.tif 000019
【図１】
2014052512.tif 000020
【図２】
2014052512.tif 000021
【図６】
2014052512.tif 000022
【図１４】
2014052512.tif 000023
【図２１】
2014052512.tif 000024